(57)【要約】      （修正有）【課題】身体と接する部分を保冷・保温する機能を有して、被収容物に対する位置ずれが起こりにくいカバーを提供する。【解決手段】被収容物を袋状に覆って、身体と接する部分を保冷・保温する保冷・保温機能を有するカバー１であって、当該カバーは、非伸縮性の第１のカバー要素１０と、第１のカバー要素１０に対向して固着された伸縮性を有する第２のカバー要素２０と、から構成されて、保冷・保温機能を提供する蓄熱部材が前記第１のカバー要素１０に装着され、被収容物を出し入れするための開口部５が形成されていて、第２のカバー要素２０において、開口部５を形成する開口形成部分２７の伸縮弾性力が、開口部５を形成しない開口非形成部分２８の伸縮弾性力よりも大きくなるように構成されている。【選択図】図１
2013233250.tif 000002
【特許請求の範囲】
【請求項１】
被収容物を袋状に覆って、身体と接する部分を保冷・保温する保冷・保温機能を有するカバーであって、当該カバーは、
非伸縮性の第１のカバー要素と、
前記第１のカバー要素に対向して固着された伸縮性を有する第２のカバー要素と、から構成されて、
保冷・保温機能を提供する蓄熱部材が前記第１のカバー要素に装着され、
前記被収容物を出し入れするための開口部が形成されていて、
前記第２のカバー要素において、前記開口部を形成する開口形成部分の伸縮弾性力が、前記開口部を形成しない開口非形成部分の伸縮弾性力よりも大きくなるように構成されていることを特徴とするカバー。
【請求項２】
前記第２のカバー要素における前記開口形成部分は、前記開口非形成部分よりも短い寸法であり、
前記開口形成部分が引き伸ばされた状態で第１のカバー要素に固着されることを特徴とする、請求項１に記載のカバー。
【請求項３】
前記開口部が２つ形成される場合、前記第１のカバー要素への固着のために引き伸ばされる前の前記第２のカバー要素は、太鼓形状をしていることを特徴とする、請求項２に記載のカバー。
【請求項４】
前記開口部が１つ形成される場合、前記第１のカバー要素への固着のために引き伸ばされる前の前記第２のカバー要素は、台形形状をしていることを特徴とする、請求項２に記載のカバー。
【請求項５】
前記第２のカバー要素は、前記開口形成部分を構成する第１の素材と、前記開口非形成部分を構成する第２の素材と、を一体化したものであり、
前記第１の素材の伸縮弾性力が前記第２の素材の伸縮弾性力よりも大きく、
同じサイズの前記開口形成部分及び前記開口非形成部分が第１のカバー要素に固着されることを特徴とする、請求項１に記載のカバー。
【請求項６】
前記第２のカバー要素は、前記開口形成部分を構成する第１の素材と、前記開口非形成部分を構成する第２の素材と、を一体化したものであり、
前記第１の素材の伸縮弾性力が前記第２の素材の伸縮弾性力よりも大きく、
前記開口形成部分は、前記開口非形成部分よりも短い寸法であり、
前記開口形成部分が引き伸ばされた状態で第１のカバー要素に固着されることを特徴とする、請求項１に記載のカバー。
【請求項７】
前記第２のカバー要素における前記開口形成部分は、前記第２のカバー要素の重ね合わせによって形成されていることを特徴とする、請求項１に記載のカバー。
【請求項８】
前記第２のカバー要素の重ね合わせは、伸縮弾性力の同じ素材又は伸縮弾性力の異なる素材を用いていることによって形成されることを特徴とする、請求項７に記載のカバー。
【請求項９】
前記蓄熱部材は、複数の蓄熱要素と、当該蓄熱要素をつなぐ境界接合部と、を備えることを特徴とする、請求項１乃至８のいずれか一つに記載のカバー。
【請求項１０】
前記被収容物は、枕又は座布団又はクッションであることを特徴とする、請求項１乃至９のいずれか一つに記載のカバー。
【発明の詳細な説明】
【技術分野】
【０００１】
本発明は、枕や座布団やクッションのような被収容物を袋状に覆い、身体と接する部分を保冷・保温する機能を有するカバーに関する。
【背景技術】
【０００２】
枕や座布団やクッションのような被収容物の汚れを防止するためにそれらをカバーで覆うことがしばしば行われている。このようなカバーにおいて、その外表面と接する身体の一部分を保冷・保温するための機能を付加することが提案されている。
【０００３】
蓄熱材入りの冷却パックを枕カバーに設けられた多数のポケット状の袋に収容し、当該枕カバーを枕に装着する冷却枕が、特許文献１に開示されている。
【０００４】
冷熱ゲルシートを長方形の枕カバーのポケットに収納した冷熱ゲル枕が、特許文献２に開示されている。
【先行技術文献】
【特許文献】
【０００５】
【特許文献１】特開２００６−２５９５６号公報
【特許文献２】特開２００２−２３３４４２号公報
【発明の概要】
【発明が解決しようとする課題】
【０００６】
特許文献１に開示された冷却枕においては、枕カバーが天然繊維等の布あるいは樹脂製のメッシュから構成された袋体であるために、枕カバーが弾性体のように大きく伸縮することが乏しい。伸縮性の乏しい枕カバーは、大きなサイズの枕から小さなサイズの枕までの様々なサイズの枕をずれることなく密着して収容することができない。すなわち、枕カバーがある特定のサイズの枕に対して密着して収容することができたとしても、別のサイズの枕に対しては密着して収容することができない。したがって、枕カバーと枕とが密着して収容できるような関係に無い場合には、枕カバーが所望とする位置からずれてしまうので、枕カバーの装着された枕は使用者に違和感を与えてしまうという問題がある。
【０００７】
特許文献２に開示された冷熱ゲル枕においては、長方形でシート状の枕カバーが、枕の周方向に延びて伸縮性のある連結具と、連結具に取着された面ファスナと、を備えており、連結具が伸び縮みすることによって、枕の周方向のサイズを調節可能にしている。しかしながら、長方形でシート状の本体には、３対の連結具が取着されているだけであるために、枕カバーが枕の長手方向に沿って移動することを規制することが不十分となる。その結果、枕カバーが枕の長手方向に移動して、枕カバーが所望とする位置からずれ易いので、枕カバーの装着された枕は使用者に違和感を与えてしまうという問題がある。
【０００８】
したがって、本発明の解決すべき技術的課題は、身体と接する部分を保冷・保温する機能を有して、被収容物に対する位置ずれが起こりにくいカバーを提供することである。
【課題を解決するための手段】
【０００９】
上記技術的課題を解決するために、本発明によれば、以下の保冷・保温機能付きカバーが提供される。
【００１０】
すなわち、本発明の請求項１に係るカバーでは、
被収容物を袋状に覆って、身体と接する部分を保冷・保温する保冷・保温機能を有するカバーであって、当該カバーは、
非伸縮性の第１のカバー要素と、
前記第１のカバー要素に対向して固着された伸縮性を有する第２のカバー要素と、から構成されて、
保冷・保温機能を提供する蓄熱部材が前記第１のカバー要素に装着され、
前記被収容物を出し入れするための開口部が形成されていて、
前記第２のカバー要素において、前記開口部を形成する開口形成部分の伸縮弾性力が、前記開口部を形成しない開口非形成部分の伸縮弾性力よりも大きくなるように構成されていることを特徴とする。
【００１１】
本発明の請求項２に係るカバーでは、
前記第２のカバー要素における前記開口形成部分は、前記開口非形成部分よりも短い寸法であり、
前記開口形成部分が引き伸ばされた状態で第１のカバー要素に固着されることを特徴とする。
【００１２】
本発明の請求項３に係るカバーでは、
前記開口部が２つ形成される場合、前記第１のカバー要素への固着のために引き伸ばされる前の前記第２のカバー要素は、太鼓形状をしていることを特徴とする。
【００１３】
本発明の請求項４に係るカバーでは、
前記開口部が１つ形成される場合、前記第１のカバー要素への固着のために引き伸ばされる前の前記第２のカバー要素は、台形形状をしていることを特徴とする。
【００１４】
本発明の請求項５に係るカバーでは、
前記第２のカバー要素は、前記開口形成部分を構成する第１の素材と、前記開口非形成部分を構成する第２の素材と、を一体化したものであり、
前記第１の素材の伸縮弾性力が前記第２の素材の伸縮弾性力よりも大きく、
同じサイズの前記開口形成部分及び前記開口非形成部分が第１のカバー要素に固着されることを特徴とする。
【００１５】
本発明の請求項６に係るカバーでは、
前記第２のカバー要素は、前記開口形成部分を構成する第１の素材と、前記開口非形成部分を構成する第２の素材と、を一体化したものであり、
前記第１の素材の伸縮弾性力が前記第２の素材の伸縮弾性力よりも大きく、
前記開口形成部分は、前記開口非形成部分よりも短い寸法であり、
前記開口形成部分が引き伸ばされた状態で第１のカバー要素に固着されることを特徴とする。
【００１６】
本発明の請求項７に係るカバーでは、
前記第２のカバー要素における前記開口形成部分は、前記第２のカバー要素の重ね合わせによって形成されていることを特徴とする。
【００１７】
本発明の請求項８に係るカバーでは、
前記第２のカバー要素の重ね合わせは、伸縮弾性力の同じ素材又は伸縮弾性力の異なる素材を用いていることによって形成されることを特徴とする。
【００１８】
本発明の請求項９に係るカバーでは、
前記蓄熱部材は、複数の蓄熱要素と、当該蓄熱要素をつなぐ境界接合部と、を備えることを特徴とする。
【００１９】
本発明の請求項１０に係るカバーでは、
前記被収容物は、枕又は座布団又はクッションであることを特徴とする。
【発明の効果】
【００２０】
請求項１に係る本発明では、開口形成部分での伸縮弾性力が相対的に大きいために、被収容物が開口形成部分によって強く締め付けられることによって、被収容物がカバーの開口部から出にくくなるので、カバーが、様々なサイズや形状の被収容物を密着保持して、被収容物に対する位置ずれを起こりにくくできるという効果を奏する。
【００２１】
請求項２に係る本発明では、開口形成部分での伸縮弾性力を相対的に大きくするために、第２のカバー要素において形状上の差異を設けるものであり、第２のカバー要素における構造がシンプルであるという効果を奏する。
【００２２】
請求項３に係る本発明では、第１のカバー要素に固着される部分の縁がなだらかに湾曲して変化するので、第２のカバー要素の加工及び固着が容易であるという効果を奏する。
【００２３】
請求項４に係る本発明では、第１のカバー要素に固着される部分の縁が直線状に変化するので、第２のカバー要素の加工及び固着が容易であるという効果を奏する。
【００２４】
請求項５に係る本発明では、開口形成部分での伸縮弾性力を相対的に大きくするために、第２のカバー要素を構成する第１の素材及び第２の素材において伸縮弾性力の差異を設けるものであり、第２のカバー要素の管理及び固着が容易であるという効果を奏する。
【００２５】
請求項６に係る本発明では、開口形成部分での伸縮弾性力を相対的に大きくするために、第２のカバー要素を構成する第１の素材及び第２の素材において伸縮弾性力の差異と、形状の差異と、を設けるものであり、両素材における伸縮弾性力の差異をあまり大きくしなくてもよいという効果を奏する。
【００２６】
請求項７に係る本発明では、開口形成部分での伸縮弾性力を相対的に大きくするために、第２のカバー要素を重ね合わせるものであり、第２のカバー要素の管理及び固着が容易であるという効果を奏する。
【００２７】
請求項８に係る本発明では、開口形成部分での伸縮弾性力を相対的に大きくするために、同じ又は異なった素材を重ね合わせるものであり、重ね合わせに使用可能な素材の選択肢が広がるという効果を奏する。
【００２８】
請求項９に係る本発明では、複数個に小さく分割された蓄熱要素からなる蓄熱部材が全体的に屈曲変形しやすくなるので、身体への密着性が向上するという効果を奏する。
【００２９】
請求項１０に係る本発明では、枕や座布団やクッションを使用する使用者に快適性を提供するという効果を奏する。
【図面の簡単な説明】
【００３０】
【図１】本発明の第１実施形態に係るカバーを模式的に説明する図である。（Ａ）は第１のカバー要素の正面図であり、（Ｂ）は第２のカバー要素の正面図であり、（Ｃ）はカバーの斜視図である。
【図２】図１に示したカバーの中に被収容物を収容した様子を説明する図である。（Ａ）は被収容物を覆うカバーの斜視図であり、（Ｂ）は被収容物を覆うカバーの側面図である。
【図３】本発明の第２実施形態に係るカバーを模式的に説明する図である。（Ａ）は第１のカバー要素の正面図であり、（Ｂ）は第２のカバー要素の正面図であり、（Ｃ）はカバーの斜視図である。
【図４】本発明の第３実施形態に係るカバーを模式的に説明する図である。（Ａ）は第１のカバー要素の正面図であり、（Ｂ）は第２のカバー要素の正面図であり、（Ｃ）はカバーの斜視図である。
【図５】本発明の第４実施形態に係るカバーを模式的に説明する図である。（Ａ）は第１のカバー要素の正面図であり、（Ｂ）は第２のカバー要素の正面図であり、（Ｃ）はカバーの斜視図である。
【図６】本発明の第５実施形態に係るカバーを模式的に説明する図である。（Ａ）は第１のカバー要素の正面図であり、（Ｂ）は第２のカバー要素の正面図であり、（Ｃ）はカバーの斜視図である。
【図７】本発明の第６実施形態に係るカバーを模式的に説明する図である。（Ａ）は第１のカバー要素の正面図であり、（Ｂ）は第２のカバー要素の正面図であり、（Ｃ）はカバーの斜視図である。
【発明を実施するための形態】
【００３１】
以下に、本発明の第１実施形態に係る保冷・保温機能を有するカバー１を、図１及び２を参照しながら詳細に説明する。
【００３２】
図１は、本発明の第１実施形態に係る保冷・保温機能付きカバー１の正面図である。図１（Ｃ）に示したカバー１は、大略方形形状をしており、実質的に非伸縮性の素材からなる第１のカバー要素１０と、伸縮性の素材からなる第２のカバー要素２０と、から構成されている。
【００３３】
カバー１は、第１のカバー要素１０の上縁１１及び下縁１３を第２のカバー要素２０の上縁２１及び下縁２３に対して、それぞれ、縫合又は接着又は熱融着によって固着することにより袋状に形成されている。カバー１は、例えば縫合によって、袋状に形成されている。カバー１における内部空間は、枕や座布団やクッションのような被収納物３を収容するための収容空間４を形成する。図１に示したカバー１では、第１のカバー要素１０の左縁１２及び右縁１４を第２のカバー要素２０の左縁２２及び右縁２４にそれぞれ固着していないので、カバー１の左側及び右側においてそれぞれ開口部５を形成している。開口部５は、枕や座布団やクッションのような被収納物３をカバー1の内部に対して出し入れするための開口である。
【００３４】
図１（Ａ）に示すように、第１のカバー要素１０は、上縁１１と左縁１２と下縁１３と右縁１４とからなる方形形状をしている。第１のカバー要素１０の表地は、例えば、綿１００％の生地やポリエステル生地やポリアミド系合成繊維の生地や麻の生地である。綿の生地は、ユーザの肌に密着して温熱又は冷熱を伝えやすいので、ハードな温度感覚を提供する。また、第１のカバー要素１０の裏地として、例えば、ポリエステル１００％のハニカム立体構造生地を用いることができる。ハニカム立体構造の生地を例示すると、ダブルラッシェルの素材（例えば、福井編物製の品番：ハニカム１０００）であり、ハニカム立体構造の生地は、クッション性及び通気性のある素材であり、ユーザの肌に密着しにくくて温熱又は冷熱を伝えにくいので、ソフトな温度感覚を提供する。なお、第１のカバー要素１０の表地及び裏地として、同じものを用いてもよい。
【００３５】
第１のカバー要素１０は、上縁１１と左縁１２と下縁１３と右縁１４を、縫合又は接着又は熱融着によって固着することにより閉じた袋体物として形成されている。第１のカバー要素１０では、例えば、表地及び裏地を重ね合わせて、それらの各周縁を図示しないバイピングテープ（終端処理部材）と一緒に縫合して固着されている。第１のカバー要素１０の内部には、例えば、横方向に延びる複数の間仕切部によって間仕切りされることによって複数の収納室（図示せず）が形成されている。間仕切部は、縫合又は接着又は熱融着によって、例えば縫合によって、形成されている。例えば、横方向に延びる収納室が３つ形成されていて、各収納室には、横方向に延びる蓄熱部材（図示せず）がそれぞれ収容される。したがって、複数の蓄熱部材が第１のカバー要素１０の収納室の中にそれぞれ収容・内蔵されるように構成されている。
【００３６】
終端処理部材としてのバイピングテープ（ヘムテープ）によって、第１のカバー要素１０を構成する部材の各周縁が、縫合又は接着又は熱融着によって、図示したように例えば縫合によって、一体的に固着されている。図１（Ｃ）に図示したカバー１において、第１のカバー要素１０の上縁１１及び下縁１３が、上から順に、第１のカバー要素１０の表地、不織布、蓄熱部材、第１のカバー要素１０の裏地及び第２のカバー要素２０の上縁２１及び下縁２３が積層された状態で、縫合又は接着又は熱融着によって、例えば縫合によって、それぞれ一体的に固着されている。また、カバー１において、第１のカバー要素１０の左縁１２及び右縁１４では、上から順に、第１のカバー要素１０の表地、不織布、蓄熱部材、第１のカバー要素１０の裏地が積層された状態で、縫合又は接着又は熱融着によって、例えば縫合によって、一体的に固着されている。すなわち、第２のカバー要素２０の左縁２２及び右縁２４は、第１のカバー要素１０の左縁１２及び右縁１４に対して固着されておらず、それぞれ開口部５を形成している。
【００３７】
第１のカバー要素１０を構成する表地及び裏地が多少なりとも伸縮性を有するために、第１のカバー要素１０の形状や寸法が変化しやすい。そこで、図示しない不織布が蓄熱部材の表面を覆うように、不織布が第１のカバー要素１０の中に配置されている。例えば、不織布が、第１のカバー要素１０において、裏地と蓄熱部材との間に介在配置されている。
【００３８】
不織布は、織りや編みでは無い、通気性を持ったものが好適である。不織布は、薄いシート状の繊維集合体であるウェブを作成したあと、公知の方法で当該ウェブ中の繊維同士の結合又は接着（化学的接着、熱的接着又は機械的結合）を行うことによって製造される。例えば、ポリエステル１００％の素材（例えば、東洋紡製、エクーレ、品番：３５１０Ｂ）を用いることができる。その他には、ポリエチレンやポリアミド系合成繊維の不織布を用いることができる。
【００３９】
したがって、実質的に伸縮性を有さない不織布を含む第１のカバー要素１０は、微視的に見て、ある規則的な繰り返し構造を持たない不規則な（ランダムな）交錯構造を備えることになるので、第１のカバー要素１０は、伸長特性に関して方向性を有しなくなる。すなわち、不織布を有する第１のカバー要素１０は、縦横方向の伸長度と斜め方向の伸長度とがほとんど変わらない特性、言いかえれば、引張力に対して略等方的な形状安定性を有する。
【００４０】
身体と接する部分を保冷・保温する機能を有する蓄熱部材（図示せず）は、合成樹脂ベース体（例えば、ポリアミド系樹脂フィルム）と合成樹脂接合層（例えば、ポリエチレン樹脂フィルム）とを積層したラミネート樹脂フィルムの袋体基材を折り曲げた上で重ね合わせて、左辺と下辺とを熱圧着（ヒートシール）して袋状体を形成し、形成された袋状空間に含水ゲル状蓄熱材を封入したあと上辺の開口部を熱圧着（熱融着）して封止したものである。接着によって封止することもできる。
【００４１】
ラミネートフィルムとしては、エチレン・酢酸ビニル共重合体やエチレン・メチルメタクリレート共重合体等も使用可能である。後述するゲル状の蓄熱剤の成分が透過して漏出しないように、すなわち高いバリア性を得るために、ナイロンフィルムの厚みを厚くしたり、ナイロンフィルムの上にアルミニウムをコーティングしたりすることもできる。
【００４２】
ゲル状蓄熱剤としては、保冷剤として公知である様々な材料が使用可能であるが、ポリアクリル酸ナトリウムに多量の水を含んだゲル状物質や、硫酸ナトリウム１０水塩（Ｎａ2ＳＯ4・１０Ｈ2Ｏ）と水（Ｈ2Ｏ）とを適量調合した硫酸ナトリウム１０水塩が例示される。
【００４３】
蓄熱部材は、第１のカバー要素１０の中に形成された複数の収容室に挿入・装着可能であるように寸法構成されている。蓄熱部材において、熱圧着（熱融着）によって封止された部分は、長手直交境界接合部、左右の長手直交周縁接合部及び長手周縁接合部として形成されている。第１のカバー要素１０は、３つの長手直交境界接合部を備えている。
【００４４】
各収納室に挿入・装着された蓄熱部材が収容室の中で位置ズレを起こさないように、蓄熱部材は、縫合又は接着又は熱融着等の固着手段によって第１のカバー要素１０に固着されている。蓄熱部材の長手直交境界接合部が第１のカバー要素１０に対して、縫合又は接着又は熱融着によって、例えば縫合によって、固着されている。当該長手直交に延びる固着部分は、長手直交境界固着部である。蓄熱部材の左右の長手直交周縁接合部が第１のカバー要素１０に対して縫合又は接着又は熱融着によって、例えば縫合によって、固着されている。当該長手直交に延びる固着部分は周縁固着部の一部分である。他方、蓄熱部材の長手周縁接合部が第１のカバー要素１０に対して固着されずに、フリーになっている。したがって、第１のカバー要素１０では、蓄熱部材の長手直交方向に延びる長手直交境界接合部及び左右の長手直交周縁接合部が第１のカバー要素１０との固着に用いられている。
【００４５】
蓄熱部材は、複数の長手直交境界接合部によって、複数の小さな蓄熱要素に分割されている。長手直交境界接合部は、蓄熱部材の収納された第１のカバー要素１０を折り畳むときの長手直交境界接合部を折り目として用いることができる。蓄熱部材が複数個に小さく分割された蓄熱要素からなることにより、蓄熱部材が全体的に屈曲自在に変形可能になる。その結果、蓄熱部材に関して、リバーシブル使用時の操作性や身体への密着性が向上する。カバー１の第１のカバー要素１０では、例えば、横長の方形形状をしている蓄熱部材が、３つの長手直交境界接合部によって、４つの小さな蓄熱要素に分割されている。
【００４６】
また、蓄熱部材のうち、第１のカバー要素１０のコーナー部に対応する部分を、Ｃ面又はＲ面に面取りすることが好ましい。例えば、長手周縁接合部と長手直交周縁接合部とが交わるコーナー部を金型で打ち抜くことにより、蓄熱部材のコーナー部をＣ面又はＲ面に加工することができる。蓄熱部材を折り畳んで変形させることができるので、第１のカバー要素１０の裏地を第２のカバー要素２０に面する側に配置したり、あるいは、第１のカバー要素１０の表地を第２のカバー要素２０に面する側に配置したりして、カバー１を裏表使用可能（リバーシブル）とすることができる。カバー１をリバーシブルで使用したときに、第１のカバー要素１０のコーナー部において蓄熱部材の折り返し部分が突出してこないために、優れた美観を提供するという効果を奏する。
【００４７】
図１（Ｂ）に示す第２のカバー要素２０は、縦方向及び横方向の両方向に弾性的に伸縮する素材からなる。弾性的に伸縮する第２のカバー要素２０は、編地、織地、強撚布又はネット地、或いはスパンボンド不織布に伸縮糸又は伸縮糸と非伸縮糸を編みこんだ不織布伸縮性編地等から構成される。第２のカバー要素２０は、例えば２００％程度の伸長度を有する。
【００４８】
第２のカバー要素２０が編地から構成される場合、例えば、毛、綿、麻、絹、アクリル、ポリアミド系合成繊維、ポリウレタン合成繊維、それらの混紡により編み上げられている。その編み方はトリコット編、ラッシェル編、ミラニーズ編を含む経メリヤス及び、平型編、円形編を含む緯（ヨコ）メリヤス編み等によって仕上げられている。編み物本来の特性である伸縮性に、ゴム糸及び弾性糸による伸縮性を加えることも可能である。編地で構成された第２のカバー要素２０は、良好な風合い（肌触り）や通気性を提供する。本発明を限定しない第２のカバー要素２０の伸縮自在な素材を例示すると、薄さ、柔らかさ、伸長度、美観等の面から、ポリアミド系繊維やポリエステル繊維と共にポリウレタン繊維（スパンデックス）が編みこまれている繊維を用いた、縦編みの編み地である２ウェイトリコット生地が好適である。
【００４９】
第２のカバー要素２０が織地やネット地から構成される場合、例えば、ポリアミド系繊維、ポリエステル繊維等の合成繊維に「Ｓ撚り」、「Ｚ撚り」等の特殊加工を施すことにより伸縮性を持たせたストレッチヤーン、テックスチヤードヤーン、コンシュゲートヤーンやポリウレタン系弾性糸等のように伸縮性の大きな合繊糸を単独で編成したものや、このような合繊糸とポリエステル繊維や綿、レーヨン、ポリプロピレン、ポリエチレン、セルロース等のように伸縮性の小さな繊維とを混合して編成したものが利用可能である。
【００５０】
また、第２のカバー要素２０は、天然ゴム又は合成ゴムの伸縮性薄膜から構成されてもよい。その場合、ゴムとしては、天然ゴム、或いはポリクロロプレンゴム、ポリブタジエンゴム、ポリイソプレンゴム、ポリイソブチレンゴム、アクリルゴム、ウレタンゴム、シリコーンゴム等の合成ゴムが用いられる。良好な伸縮特性面から、天然ゴムが好ましい。
【００５１】
図１（Ｂ）に示すように、第２のカバー要素２０は、上縁２１と左縁２２と下縁２３と右縁２４とからなる大略方形形状をしている。第２のカバー要素２０の大略方形形状は、第１のカバー要素１０の方形形状と実質的に同じである。しかしながら、第２のカバー要素２０の形状を詳細に見ると、左縁２２及び右縁２４が直線状に延在しているのに対して、上縁２１及び下縁２３が外方に向けて突出した曲線状に延在しているので、第２のカバー要素２０は全体として太鼓形状をしている。第１のカバー要素１０に固着される第２のカバー要素２０の上縁２１及び下縁２３が、なだらかに湾曲して変化するので、第２のカバー要素２０の加工及び固着が容易である。
【００５２】
第２のカバー要素２０を方形形状と仮定したときの縦方向長さをＡとすると、左縁２２及び右縁２４において、それぞれ、上縁２１の側がＡ１の長さで短くなり、下縁２３の側がＡ２の長さで短くなっていて、左縁２２及び右縁２４の長さがそれぞれＡ３になっている。したがって、左縁２２及び右縁２４の縦方向長さＡ３は、それぞれ、縦方向長さＡよりも、Ａ１＋Ａ２の長さで短くなっている。上縁２１及び下縁２３の曲線は、それぞれ、Ａ１及びＡ２の長さで外方に向けて突出している。
【００５３】
第２のカバー要素２０は、弾性的に伸縮自在である素材からなることから、第２のカバー要素２０の左縁２２及び右縁２４の部分をそれぞれ縦方向にＡ１及びＡ２の長さで引き伸ばしたとき、引き伸ばされた部分には元の形状に戻ろうとする収縮弾性力（伸縮弾性力）が働く。すなわち、引き伸ばされたＡ１及びＡ２の縦方向長さに対応する収縮弾性力（伸縮弾性力）が、第２のカバー要素２０の左縁２２及び右縁２４の部分に作用する。ここで、左縁２２とその周辺部分は、開口形成部分２７を構成する。同様に、右縁２４とその周辺部分は、開口形成部分２７を構成する。
【００５４】
開口非形成部分２８は、縦方向長さＡを有する中央部分として規定することができるのに対して、開口形成部分２７は、縦方向に短くなった縁部及びその周辺部分として規定することができ、縦方向に短くなった縁部及びその周辺部分は、縦方向長さＡ３から縦方向長さＡに至る部分と規定することができる。縦方向長さＡ３は、例えば、縦方向長さＡの９５％乃至５０％である。したがって、Ａ１＋Ａ２が、縦方向長さＡの５％乃至５０％となる。
【００５５】
上側の短寸部分の縦方向長さＡ１と、下側の短寸部分の縦方向長さＡ２とを、同じにすることもできるし、異なるようにすることもできる。また、上側の短寸部分の長さＡ１において、右側部分の横方向長さと左側部分の横方向長さとを、同じにすることもできるし、異なるようにすることもできる。その結果、左側の開口形成部分２７の横方向長さと右側の開口形成部分２７の横方向長さとを、同じにすることもできるし、異なるようにすることもできる。
【００５６】
上述したように、第１のカバー要素１０の上縁１１及び下縁１３を第２のカバー要素２０の上縁２１及び下縁２３に対してそれぞれ固着する作業は、第２のカバー要素２０の収縮弾性力（伸縮弾性力）に抗しながら、第２のカバー要素２０の左縁２２及び右縁２４を縦方向に引き伸ばした状態で行われる。このような固着作業が完了した後、引き伸ばされた第２のカバー要素２０の左縁２２及び右縁２４は、元の形状に戻るが、第１のカバー要素１０の左縁１２及び右縁１４は、第２のカバー要素２０の左縁２２及び右縁２４における収縮動作に引きずられて、僅かに湾曲した形状になる。
【００５７】
したがって、枕や座布団やクッションのような被収納物３をカバー１の中に挿入しない未使用状態のカバー１では、第２のカバー要素２０の左縁２２及び右縁２４が直線状に延在しているとともに、第１のカバー要素１０の左縁１２及び右縁１４が僅かに湾曲した形状になっている。そして、第１のカバー要素１０の左縁１２及び右縁１４を直線状に延在するように第２のカバー要素２０を引き伸ばした場合、引き伸ばされた第２のカバー要素２０の左縁２２及び右縁２４を元の形状に戻そうとする縦方向の収縮弾性力（伸縮弾性力）が余分に作用する。さらに、枕や座布団やクッションのような被収納物３をカバー１の中に挿入した使用状態では、第２のカバー要素２０が全体的に引き伸ばされることになるが、第２のカバー要素２０の開口形成部分２７（すなわち、左縁２２とその周辺部分及び右縁２４とその周辺部分）では、カバー１の中央部分に位置する開口非形成部分２８よりも短い寸法であるために、縦方向の短い寸法分に対応する縦方向の収縮弾性力（伸縮弾性力）が付加されることになる。その結果、開口形成部分２７の収縮弾性力（伸縮弾性力）は、開口非形成部分２８の収縮弾性力（伸縮弾性力）よりも大きくなる。
【００５８】
このように、開口形成部分２７での収縮弾性力（伸縮弾性力）が開口非形成部分２８での収縮弾性力（伸縮弾性力）よりも相対的に大きくなるために、カバー１は被収容物３を開口形成部分２７によって強く締め付けることができる。これにより、被収容物３が開口部５から出にくくなるので、カバー１は、様々なサイズや形状の被収容物３を密着保持して、被収容物３に対する位置ずれを起こりにくくできるという効果を奏する。
【００５９】
第１のカバー要素１０及び第２のカバー要素２０を固着したカバー１において、上縁１１，２１及び下縁１３，２３がそれぞれ固着によって閉じられている。これに対して、第１のカバー要素１０及び第２のカバー要素２０を固着したカバー１において、左縁１２，２２及び右縁１４，２４が、それぞれ非固着状態により開いている。図１（Ｃ）に示した第１実施形態の場合、カバー１の左側部分及び右側部分には、開口部５がそれぞれ形成されている。開口部５は、枕や座布団やクッションのような被収容物３を、カバー１の中に形成された収容空間４に対して出し入れするための開口である。また、開口部５は、カバー１を裏表使用可能（リバーシブル）とするための開口として用いることができる。
【００６０】
第２のカバー要素２０が全体として弾性的に伸縮可能に構成されていることにより、図２に示すように、カバー１が様々なサイズや形状の被収容物３を密着保持することができるので、被収容物３に対する位置ずれを防止することができる。そして、上述したように、開口形成部分２７での収縮弾性力（伸縮弾性力）が開口非形成部分２８での収縮弾性力（伸縮弾性力）よりも大きくなるように構成されているので、開口形成部分２７が被収容物３を強く締め付けるとともに、開口部５を閉口するように作用する。その結果、被収容物３が開口部５から出にくくなるので、カバー１は、様々なサイズや形状の被収容物３を密着保持するとともに、被収容物３に対する位置ずれを防止できるという効果を奏する。
【００６１】
次に、本発明の第２実施形態に係るカバー１について、図３を参照しながら説明する。
【００６２】
上述した第１実施形態では開口部５がカバー１の左側部分及び右側部分にそれぞれ形成されているのに対して、当該第２実施形態では、開口部５がカバー１の上側部分及び下側部分にそれぞれ形成されていることを特徴としている。その他の構成は、上記第１実施形態のカバー１のものと実質的に同じである。したがって、第１実施形態との相違点を中心に説明する。
【００６３】
第２実施形態では、図３（Ｃ）に示すように、カバー１の上側部分及び下側部分のそれぞれにおいて、開口部５が形成されている。
【００６４】
図３（Ａ）に示すように、カバー１の一部分を構成する第１のカバー要素１０は、図１（Ａ）に示した第１実施形態の第１のカバー要素１０と実質的に同じである。そして、図３（Ｂ）に示すように、カバー１の一部分を構成する第２のカバー要素２０は、図１（Ｂ）に示した第１実施形態の第２のカバー要素２０との比較で、縦横と上下との関係が逆転している。
【００６５】
図３（Ｂ）において、第２のカバー要素２０は、上縁２１と左縁２２と下縁２３と右縁２４とからなる大略方形形状をしている。第２のカバー要素２０の大略方形形状は、第１のカバー要素１０の方形形状と実質的に同じである。しかしながら、第２のカバー要素２０の形状を詳細に見ると、上縁２１及び下縁２３が直線状に延在しているのに対して、左縁２２及び右縁２４が外方に向けて突出した曲線状に延在しているので、第２のカバー要素２０は全体として太鼓形状をしている。第１のカバー要素１０に固着される第２のカバー要素２０の左縁２２及び右縁２４が、なだらかに湾曲して変化するので、第２のカバー要素２０の加工及び固着が容易である。
【００６６】
第２のカバー要素２０を方形形状と仮定したときの横方向長さをＢとすると、上縁２１及び下縁２３において、それぞれ、左縁２２の側がＢ１の長さで短くなり、右縁２４の側がＢ２の長さで短くなっていて、上縁２１及び下縁２３の横方向長さがそれぞれＢ３になっている。したがって、上縁２１及び下縁２３の縦方向長さＢ３は、それぞれ、縦方向長さＢよりも、Ｂ１＋Ｂ２の長さで短くなっている。左縁２２及び右縁２４の曲線は、それぞれ、Ｂ１及びＢ２の長さで内方に向けて引っ込んでいる。
【００６７】
第２のカバー要素２０は、弾性的に伸縮自在である素材からなることから、第２のカバー要素２０の上縁２１及び下縁２３の部分をそれぞれ横方向にＢ１及びＢ２の長さで引き伸ばしたとき、引き伸ばされた部分には元の形状に戻ろうとする収縮弾性力（伸縮弾性力）が働く。すなわち、引き伸ばされたＢ１及びＢ２の横方向長さに対応する収縮弾性力（伸縮弾性力）が、第２のカバー要素２０の上縁２１及び下縁２３の部分に作用する。ここで、上縁２１とその周辺部分は、開口形成部分２７を構成する。同様に、下縁２３とその周辺部分は、開口形成部分２７を構成する。
【００６８】
開口非形成部分２８は、横方向長さＢを有する中央部分として規定することができるのに対して、開口形成部分２７は、横方向に短くなった縁側部分として規定することができ、横方向に短くなった縁側部分は、横方向長さＢ３から横方向長さＢに至る部分と規定することができる。横方向長さＢ３は、例えば、横方向長さＢの９５％乃至５０％である。したがって、Ｂ１＋Ｂ２が、横方向長さＢの５％乃至５０％となる。
【００６９】
左側の短寸部分の横方向長さＢ１と、右側の短寸部分の横方向長さＢ２とを、同じにすることもできるし、異なるようにすることもできる。また、左側の短寸部分の横方向長さＢ１において、上側部分の縦方向長さと下側部分の縦方向長さとを、同じにすることもできるし、異なるようにすることもできる。その結果、上側の開口形成部分２７の縦方向長さと下側の開口形成部分２７の縦方向長さとを、同じにすることもできるし、異なるようにすることもできる。
【００７０】
上述したように、第１のカバー要素１０の上縁１１及び下縁１３を第２のカバー要素２０の上縁２１及び下縁２３に対してそれぞれ固着する作業は、第２のカバー要素２０の収縮弾性力（伸縮弾性力）に抗しながら、第２のカバー要素２０の上縁２１及び下縁２３を横方向に引き伸ばした状態で行われる。このような固着作業が完了した後、引き伸ばされた第２のカバー要素２０の上縁２１及び下縁２３は、元の形状に戻るが、第１のカバー要素１０の上縁１１及び下縁１３は、第２のカバー要素２０の上縁２１及び下縁２３における収縮動作に引きずられて、僅かに湾曲した形状になる。
【００７１】
したがって、枕や座布団やクッションのような被収納物３をカバー１の中に挿入しない未使用状態のカバー１では、第２のカバー要素２０の上縁２１及び下縁２３が直線状に延在しているとともに、第１のカバー要素１０の上縁１１及び下縁１３が僅かに湾曲した形状になっている。そして、第１のカバー要素１０の上縁１１及び下縁１３を直線状に延在するように第２のカバー要素２０を引き伸ばした場合、引き伸ばされた第２のカバー要素２０の上縁２１及び下縁２３を元の形状に戻そうとする横方向の収縮弾性力（伸縮弾性力）が余分に作用する。さらに、枕や座布団やクッションのような被収納物３をカバー１の中に挿入した使用状態では、第２のカバー要素２０が全体的に引き伸ばされることになるが、第２のカバー要素２０の開口形成部分２７（すなわち、上縁２１とその周辺部分及び下縁２３とその周辺部分）では、カバー１の中央部分に位置する開口非形成部分２８よりも短い寸法であるために、横方向の短い寸法分に対応する横方向の収縮弾性力（伸縮弾性力）が付加されることになる。その結果、開口形成部分２７の収縮弾性力（伸縮弾性力）は、開口非形成部分２８の収縮弾性力（伸縮弾性力）よりも大きくなる。
【００７２】
このように、開口形成部分２７での収縮弾性力（伸縮弾性力）が開口非形成部分２８での収縮弾性力（伸縮弾性力）よりも相対的に大きくなるために、カバー１は被収容物３を開口形成部分２７によって強く締め付けることができる。これにより、被収容物３が開口部５から出にくくなるので、カバー１は、様々なサイズや形状の被収容物３を密着保持して、被収容物３に対する位置ずれを起こりにくくできるという効果を奏する。
【００７３】
次に、本発明の第３実施形態に係るカバー１について、図４を参照しながら説明する。
【００７４】
上述した第２実施形態では開口部５がカバー１の左側部分及び右側部分にそれぞれ形成されているのに対して、当該第３実施形態では、開口部５がカバー１の下側部分に形成されていることを特徴としている。その他の構成は、上記第２実施形態のカバー１のものと実質的に同じである。したがって、第２実施形態との相違点を中心に説明する。
【００７５】
第３実施形態では、図４（Ｃ）に示すように、カバー１の下側部分において、１つの開口部５が形成されている。
【００７６】
図４（Ａ）に示すように、第３実施形態のカバー１の一部分を構成する第１のカバー要素１０は、図３（Ａ）に示した第２実施形態の第１のカバー要素１０と実質的に同じである。そして、図４（Ｂ）に示すように、第３実施形態のカバー１の一部分を構成する第２のカバー要素２０は、図３（Ｂ）に示した第２実施形態の第２のカバー要素２０との比較で、逆台形形状をしている。
【００７７】
図４（Ｂ）において、第２のカバー要素２０は、上縁２１と左縁２２と下縁２３と右縁２４とからなる台形形状をしている。第２のカバー要素２０を方形形状と仮定すると、第１のカバー要素１０の方形形状と実質的に同じである。しかしながら、第２のカバー要素２０の形状を詳細に見ると、上縁２１及び下縁２３が互いに平行に直線状に延在して、上縁２１の横方向長さＣが下縁２３の横方向長さＣ３よりも大きく、上縁２１及び下縁２３を接続する左縁２２及び右縁２４がそれぞれ内方に傾斜して直線状に延在しているので、第２のカバー要素２０は全体として下すぼみの逆台形形状をしている。第１のカバー要素１０に固着される第２のカバー要素２０の左縁２２及び右縁２４が直線状に変化するので、第２のカバー要素２０の加工及び固着が容易である。
【００７８】
第２のカバー要素２０を方形形状と仮定したときの上縁２１の横方向長さをＣとすると、下縁２３が左縁２２の側及び右縁２４の側においてそれぞれ、Ｃ１及びＣ２の長さで短くなっていて、下縁２３の長さがＣ３になっている。したがって、下縁２３の横方向長さＣ３は、横方向長さＣよりも、Ｃ１＋Ｃ２の長さで短くなっている。左縁２２及び右縁２４の直線は、それぞれ、Ｃ１及びＣ２の長さで内方に向けて引っ込んで傾斜している。
【００７９】
第２のカバー要素２０は、弾性的に伸縮自在である素材からなることから、第２のカバー要素２０の下縁２３の部分を横方向にＣ１及びＣ２の長さで引き伸ばしたとき、引き伸ばされた部分には元の形状に戻ろうとする収縮弾性力（伸縮弾性力）が働く。すなわち、引き伸ばされたＣ１及びＣ２の横方向長さに対応する収縮弾性力（伸縮弾性力）が、第２のカバー要素２０の下縁２３の部分に作用する。ここで、下縁２３とその周辺部分は、開口形成部分２７を構成する。
【００８０】
第３実施形態における開口非形成部分２８は、横方向長さＣを有する上縁２１から中央部分に至る部分と規定することができる。開口形成部分２７は、中央部分から横方向長さＣ３に至る部分と規定することができる。横方向長さＣ３は、例えば、横方向長さＣの９５％乃至５０％である。したがって、Ｃ１＋Ｃ２が、横方向長さＣの５％乃至５０％となる。
【００８１】
左側の短寸部分の横方向長さＣ１と、右側の短寸部分の横方向長さＣ２とを、同じにすることもできるし、異なるようにすることもできる。なお、下側に設けた開口形成部分２７は、第２のカバー要素２０の上側に設けることもできる。
【００８２】
第１のカバー要素１０の上縁１１を第２のカバー要素２０の上縁２１に対して固着する。第１のカバー要素１０の下縁１３と第２のカバー要素２０の下縁２３とは固着しない。それにより、カバー１の下側において、開口部５を形成する。そして、第１のカバー要素１０の左縁１２及び右縁１４を第２のカバー要素２０の左縁２２及び右縁２４に対してそれぞれ固着する。左縁１２，２２及び右縁１４，２４の固着作業は、いずれも、第２のカバー要素２０の収縮弾性力（伸縮弾性力）に抗しながら、第２のカバー要素２０の下縁２３を横方向に引き伸ばした状態で行われる。このような固着作業が完了した後、引き伸ばされた第２のカバー要素２０の下縁２３は、元の形状に戻るが、第１のカバー要素１０の下縁１３は、第２のカバー要素２０の下縁２３における収縮動作に引きずられて、僅かに湾曲した形状になる。
【００８３】
したがって、枕や座布団やクッションのような被収納物３をカバー１の中に挿入しない未使用状態のカバー１では、第２のカバー要素２０の下縁２３が直線状に延在しているとともに、第１のカバー要素１０の下縁１３が僅かに湾曲した形状になっている。未使用状態のカバー１は、全体として、逆台形形状をしている。そして、第１のカバー要素１０の下縁１３を直線状に延在するように第２のカバー要素２０を引き伸ばした場合、引き伸ばされた第２のカバー要素２０の下縁２３を元の形状に戻そうとする横方向の収縮弾性力（伸縮弾性力）が余分に作用する。さらに、枕や座布団やクッションのような被収納物３をカバー１の中に挿入した使用状態では、第２のカバー要素２０が全体的に引き伸ばされることになるが、第２のカバー要素２０の開口形成部分２７（すなわち、下縁２３とその周辺部分）では、開口非形成部分２８よりも短い寸法であるために、横方向の短い寸法に対応する横方向の収縮弾性力（伸縮弾性力）が付加されることになる。その結果、開口形成部分２７の収縮弾性力（伸縮弾性力）は、開口非形成部分２８の収縮弾性力（伸縮弾性力）よりも大きくなる。
【００８４】
このように、カバー１の下側に形成された開口形成部分２７での収縮弾性力（伸縮弾性力）が、開口非形成部分２８での収縮弾性力（伸縮弾性力）よりも相対的に大きくなるために、カバー１は被収容物３を開口形成部分２７によって強く締め付けることができる。これにより、被収容物３が開口部５から出にくくなるので、カバー１は、様々なサイズや形状の被収容物３を密着保持して、被収容物３に対する位置ずれを起こりにくくできるという効果を奏する。
【００８５】
次に、本発明の第４実施形態に係るカバー１について、図５を参照しながら説明する。
【００８６】
上述した第３実施形態では開口部５がカバー１の下側部分に形成されているのに対して、当該第４実施形態では、開口部５がカバー１の左側部分に形成されていることを特徴としている。その他の構成は、上記第２実施形態のカバー１のものと実質的に同じである。したがって、第３実施形態との相違点を中心に説明する。
【００８７】
第４実施形態では、図５（Ｃ）に示すように、カバー１の左側部分において、１つの開口部５が形成されている。
【００８８】
図５（Ａ）に示すように、第４実施形態のカバー１の一部分を構成する第１のカバー要素１０は、図４（Ａ）に示した第３実施形態の第１のカバー要素１０と実質的に同じである。そして、図５（Ｂ）に示すように、第４実施形態のカバー１の一部分を構成する第２のカバー要素２０は、横向きの台形形状をしている。
【００８９】
図５（Ｂ）において、第２のカバー要素２０は、上縁２１と左縁２２と下縁２３と右縁２４とからなる横向きの台形形状をしている。第２のカバー要素２０を方形形状と仮定すると、第１のカバー要素１０の方形形状と実質的に同じである。しかしながら、第２のカバー要素２０の形状を詳細に見ると、左縁２２及び右縁２４が互いに平行に直線状に延在して、右縁２４の縦方向長さＤが左縁２２の縦方向長さＤ３よりも大きく、左縁２２及び右縁２４を接続する上縁２１及び下縁２３がそれぞれ内方に傾斜して直線状に延在しているので、第２のカバー要素２０は全体として横向きの台形形状をしている。第１のカバー要素１０に固着される第２のカバー要素２０の上縁２１及び下縁２３が直線状に変化するので、第２のカバー要素２０の加工及び固着が容易である。
【００９０】
第２のカバー要素２０を方形形状と仮定したときの右縁２４の横方向長さをＤとすると、左縁２２が上縁２１の側及び下縁２３の側においてそれぞれ、Ｄ１及びＤ２の長さで短くなっていて、左縁２２の長さがＤ３になっている。したがって、左縁２２の縦方向長さＤ３は、縦方向長さＤよりも、Ｄ１＋Ｄ２の長さで短くなっている。上縁２１及び下縁２３の直線は、それぞれ、Ｄ１及びＤ２の長さで内方に向けて引っ込んで傾斜している。
【００９１】
第２のカバー要素２０は、弾性的に伸縮自在である素材からなることから、第２のカバー要素２０の左縁２２の部分を縦方向にＤ１及びＤ２の長さで引き伸ばしたとき、引き伸ばされた部分には元の形状に戻ろうとする収縮弾性力（伸縮弾性力）が働く。すなわち、引き伸ばされたＤ１及びＤ２の横方向長さに対応する収縮弾性力（伸縮弾性力）が、第２のカバー要素２０の左縁２２の部分に作用する。ここで、左縁２２とその周辺部分は、開口形成部分２７を構成する。
【００９２】
第４実施形態における開口非形成部分２８は、縦方向長さＤを有する右縁２４から中央部分に至る部分と規定することができる。開口形成部分２７は、中央部分から縦方向長さＤ３に至る部分と規定することができる。縦方向長さＤ３は、例えば、縦方向長さＤの９５％乃至５０％である。したがって、Ｄ１＋Ｄ２が、縦方向長さＤの５％乃至５０％となる。
【００９３】
上側の短寸部分の横方向長さＤ１と、下側の短寸部分の横方向長さＤ２とを、同じにすることもできるし、異なるようにすることもできる。なお、左側に設けた開口形成部分２７は、第２のカバー要素２０の右側に設けることもできる。
【００９４】
第１のカバー要素１０の右縁１４を第２のカバー要素２０の右縁２４に対して固着する。第１のカバー要素１０の左縁１２と第２のカバー要素２０の左縁２２とは固着しない。それにより、カバー１の左側において、開口部５を形成する。そして、第１のカバー要素１０の上縁１１及び下縁１３を第２のカバー要素２０の上縁２１及び下縁２３に対してそれぞれ固着する。上縁１１，２１及び下縁１３，２３の固着作業は、いずれも、第２のカバー要素２０の収縮弾性力（伸縮弾性力）に抗しながら、第２のカバー要素２０の左縁２２を縦方向に引き伸ばした状態で行われる。このような固着作業が完了した後、引き伸ばされた第２のカバー要素２０の左縁２２は、元の形状に戻るが、第１のカバー要素１０の左縁１２は、第２のカバー要素２０の左縁２２における収縮動作に引きずられて、僅かに湾曲した形状になる。
【００９５】
したがって、枕や座布団やクッションのような被収納物３をカバー１の中に挿入しない未使用状態のカバー１では、第２のカバー要素２０の左縁２２が直線状に延在しているとともに、第１のカバー要素１０の左縁１２が僅かに湾曲した形状になっている。未使用状態のカバー１は、全体として、横向きの台形形状をしている。そして、第１のカバー要素１０の左縁１２を直線状に延在するように第２のカバー要素２０を引き伸ばした場合、引き伸ばされた第２のカバー要素２０の左縁２２を元の形状に戻そうとする縦方向の収縮弾性力（伸縮弾性力）が余分に作用する。さらに、枕や座布団やクッションのような被収納物３をカバー１の中に挿入した使用状態では、第２のカバー要素２０が全体的に引き伸ばされることになるが、第２のカバー要素２０の開口形成部分２７（すなわち、左縁２２とその周辺部分）では、開口非形成部分２８よりも短い寸法であるために、縦方向の短い寸法分に対応する縦方向の収縮弾性力（伸縮弾性力）が付加されることになる。その結果、開口形成部分２７の収縮弾性力（伸縮弾性力）は、開口非形成部分２８の収縮弾性力（伸縮弾性力）よりも大きくなる。
【００９６】
このように、カバー１の左側に形成された開口形成部分２７での収縮弾性力（伸縮弾性力）が、開口非形成部分２８での収縮弾性力（伸縮弾性力）よりも相対的に大きくなるために、カバー１は被収容物３を開口形成部分２７によって強く締め付けることができる。これにより、被収容物３が開口部５から出にくくなるので、カバー１は、様々なサイズや形状の被収容物３を密着保持して、被収容物３に対する位置ずれを起こりにくくできるという効果を奏する。
【００９７】
次に、本発明の第５実施形態に係るカバー１について、図６を参照しながら説明する。
【００９８】
上述した第１実施形態乃至第４実施形態では、開口形成部分２７での収縮弾性力（伸縮弾性力）を相対的に大きくするために、同じ素材からなる第２のカバー要素２０において形状上の差異、すなわち他の部分よりも短寸としてより大きな収縮弾性力（伸縮弾性力）を発揮するような開口形成部分２７を設けていた。これに対して、当該第５実施形態では、第２のカバー要素２０が第１の素材３１及び第２の素材３３から構成されて、第１の素材３１及び第２の素材３３における収縮弾性力（伸縮弾性力）に差異を設けることを特徴としている。その他の構成は、上記第１実施形態乃至第４実施形態のカバー１のものと実質的に同じである。したがって、第１実施形態との相違点を中心に説明する。
【００９９】
第５実施形態では、図６（Ｃ）に示すように、カバー１の左側部分及び右側部分において、開口部５がそれぞれ形成されている。
【０１００】
図６（Ａ）に示すように、第５実施形態のカバー１の一部分を構成する第１のカバー要素１０は、図１（Ａ）に示した第１実施形態の第１のカバー要素１０と同じものである。そして、図６（Ｂ）に示すように、第５実施形態のカバー１の一部分を構成する第２のカバー要素２０において、上縁２１と左縁２２と下縁２３と右縁２４との全てが、第１のカバー要素１０の上縁１１と左縁１２と下縁１３と右縁１４と実質的に同じサイズであり、第１のカバー要素１０と重なる方形形状をしている。
【０１０１】
図６（Ｂ）において、第２のカバー要素２０は、上縁２１と左縁２２と下縁２３と右縁２４とからなる方形形状をしている。図６（Ｂ）に示した第２のカバー要素２０は、左側の開口形成部分２７を構成する左側の第１の素材３１と、中央の開口非形成部分２８を構成する中央の第２の素材３３と、右側の開口形成部分２７を構成する右側の第３の素材３５と、を一体化したものである。左側の第１の素材３１と、中央の第２の素材３３と、右側の第３の素材３５との一体化固着は、縫合又は接着又は熱融着によって、例えば縫合によって、行われている。左側の第１の素材３１と、中央の第２の素材３３とは、固着部３２で一体的に固着されている。右側の第３の素材３５と、中央の第２の素材３３とは、固着部３４で一体的に固着されている。
【０１０２】
第２のカバー要素２０において、第１の素材３１及び第３の素材３５の収縮弾性力（伸縮弾性力）が第２の素材３３の収縮弾性力（伸縮弾性力）よりも大きいように構成されている。第１の素材３１及び第３の素材３５の縦方向のサイズと、第２の素材３３の縦方向のサイズとが、同じであるように構成されている。左側の第１の素材３１と中央の第２の素材３３と右側の第３の素材３５とが一体化された方形形状をした第２のカバー要素２０は、同じサイズの方形形状をした第１のカバー要素１０に対して、縫合又は接着又は熱融着によって、例えば縫合によって、固着される。
【０１０３】
第１のカバー要素１０の上縁１１を第２のカバー要素２０の上縁２１に対して固着し、第１のカバー要素１０の下縁１３を第２のカバー要素２０の下縁２３に対して固着する。第１のカバー要素１０の左縁１２と第２のカバー要素２０の左縁２２とは固着しない。それにより、カバー１の左側において、開口部５を形成する。また、第１のカバー要素１０の右縁１４と第２のカバー要素２０の右縁２４とは固着しない。それにより、カバー１の右側において、開口部５を形成する。
【０１０４】
第１のカバー要素１０と第２のカバー要素２０とが同じサイズであって、平坦なシート状の生地同士の固着であるので、上縁１１，２１及び下縁１３，２３の固着作業は、いずれも、上述した第１実施形態乃至第４実施形態のように第２のカバー要素２０を引き伸ばした状態で行う必要がない。したがって、第１のカバー要素１０と第２のカバー要素２０との固着作業が容易になる。また、枕や座布団やクッションのような被収納物３をカバーの中に挿入しない未使用状態にあるカバー１は、平坦なシート状の生地同士の固着であるので、開口部５において湾曲した盛り上がりが形成されないために、未使用状態にあるカバー１の美観が優れている、カバー１を図示しない包装容器に収納したり包装したりすることが容易になること等の特長を有する。
【０１０５】
左側の第１の素材３１と、中央の第２の素材３３と、右側の第３の素材３５とが一体的に固着された第２のカバー要素２０は、全体的に弾性的に伸縮自在である。それとともに、第２のカバー要素２０の全体を同じ長さで引き伸ばしたとき、左側の第１の素材３１及び右側の第３の素材３５では、中央の第２の素材３３との比較で、より大きな収縮弾性力（伸縮弾性力）が働く。したがって、左側の第１の素材３１及び右側の第３の素材３５が開口形成部分２７を構成し、中央の第２の素材３３が開口非形成部分２８を構成する。
【０１０６】
第５実施形態において、第２のカバー要素２０の横方向全体長さをＥとすると、開口非形成部分２８である中央の第２の素材３３の横方向長さＥ２は、例えば、横方向全体長さＥの９５％乃至５０％である。そして、左側の第１の素材３１の横方向長さＥ１＋右側の第３の素材３５の横方向長さＥ３が、横方向全体長さＥの５％乃至５０％となる。
【０１０７】
左側の第１の素材３１の横方向長さＥ１と、右側の第３の素材３５の横方向長さＥ３とを、同じにすることもできるし、異なるようにすることもできる。なお、左側及び右側に設けた第１の素材３１及び第３の素材３５は、第２のカバー要素２０の上側及び下側に設けることもできる。
【０１０８】
このように、カバー１の左側及び右側に形成された開口形成部分２７での収縮弾性力（伸縮弾性力）が、開口非形成部分２８での収縮弾性力（伸縮弾性力）よりも相対的に大きくなるために、カバー１は被収容物３を開口形成部分２７によって強く締め付けることができる。これにより、被収容物３が開口部５から出にくくなるので、カバー１は、様々なサイズや形状の被収容物３を密着保持して、被収容物３に対する位置ずれを起こりにくくできるという効果を奏する。
【０１０９】
第５実施形態の変形例として、第２のカバー要素２０において、第１の素材３１及び第３の素材３５の縦方向のサイズを、第２の素材３３の縦方向のサイズよりも、短寸にすることができる。第１の素材３１及び第３の素材３５を第２の素材３３に固着する作業は、いずれも、第１の素材３１及び第３の素材３５の収縮弾性力（伸縮弾性力）に抗しながら、第１の素材３１及び第３の素材３５を縦方向に引き伸ばした状態で行われる。このような固着作業が完了した後、引き伸ばされた第１の素材３１及び第３の素材３５は、元の形状に戻るが、第２の素材３３は、第１の素材３１及び第３の素材３５による収縮動作に引きずられて、僅かに褶曲した形状になる。その結果、第２のカバー要素２０は、全体として、方形形状から外れた大略太鼓形状になる。
【０１１０】
第５実施形態の変形例は、第１実施形態乃至第４実施形態のような開口形成部分２７を短寸にするという形状上の差異を設けること、及び、第５実施形態のような第１の素材３１及び第３の素材３５と第２の素材３３とにおける収縮弾性力（伸縮弾性力）に差異を設けることを組み合わせたものである。したがって、カバー１は、短寸にするという形状上の効果を備えるので、第１の素材３１及び第３の素材３５と第２の素材３３とにおける収縮弾性力（伸縮弾性力）においてあまり大きな差異を設けなくてもよいという効果を奏する。なお、第１の素材３１及び第３の素材３５において、縦方向の短寸長さや、横方向の長さや、収縮弾性力（伸縮弾性力）を、同じにしたり、異なるようにしたりすることができる。
【０１１１】
次に、本発明の第６実施形態に係るカバー１について、図７を参照しながら説明する。
【０１１２】
上述した第５実施形態では、開口形成部分２７での収縮弾性力（伸縮弾性力）を相対的に大きくするために、より大きな収縮弾性力（伸縮弾性力）を有する第１の素材３１を第２のカバー要素２０の開口部５の側に設けていた。これに対して、当該第６実施形態では、第２のカバー要素２０が重ね合わせ部分３８及び非重ね合わせ部分３９から構成されて、重ね合わせ部分３７及び非重ね合わせ部分３９における収縮弾性力（伸縮弾性力）に差異を設けることを特徴としている。その他の構成は、上記第５実施形態のカバー１のものと実質的に同じである。したがって、第５実施形態との相違点を中心に説明する。
【０１１３】
第６実施形態では、図７（Ｃ）に示すように、カバー１の左側部分において、開口部５が形成されている。
【０１１４】
図７（Ａ）に示すように、第６実施形態のカバー１の一部分を構成する第１のカバー要素１０は、図１（Ａ）に示した第１実施形態の第１のカバー要素１０と同じものである。そして、図７（Ｂ）に示すように、第６実施形態のカバー１の一部分を構成する第２のカバー要素２０において、上縁２１と左縁２２と下縁２３と右縁２４との全てが、第１のカバー要素１０の上縁１１と左縁１２と下縁１３と右縁１４と実質的に同じサイズであり、第１のカバー要素１０と重なる方形形状をしている。
【０１１５】
図７（Ｂ）において、第２のカバー要素２０は、上縁２１と左縁２２と下縁２３と右縁２４とからなる方形形状をしている。図７（Ｂ）に示した第２のカバー要素２０は、左側の開口形成部分２７を構成する左側の重ね合わせ部分３７と、それ以外の残りの非重ね合わせ部分３９と、を一体化したものである。左側の重ね合わせ部分３７と、それ以外の残りの非重ね合わせ部分３９との一体化固着は、縫合又は接着又は熱融着によって、例えば縫合によって、行われている。左側の重ね合わせ部分３７と、それ以外の残りの非重ね合わせ部分３９とは、固着部３８で一体的に固着されている。
【０１１６】
左側の重ね合わせ部分３７は、弾性的に伸縮自在である素材を少なくとも２枚重ね合わせることによって構成されている。左側の重ね合わせ部分３７は、例えば、第２のカバー要素２０を左縁２２で折り返すことで形成することができる。第２のカバー要素２０において、左側の重ね合わせ部分３７の収縮弾性力（伸縮弾性力）が残りの非重ね合わせ部分３９の収縮弾性力（伸縮弾性力）よりも大きいように構成されている。左側の重ね合わせ部分３７の縦方向のサイズと、残りの非重ね合わせ部分３９の縦方向のサイズとが、同じであるように構成されている。左側の重ね合わせ部分３７と残りの非重ね合わせ部分３９とが一体化された方形形状をした第２のカバー要素２０は、同じサイズの方形形状をした第１のカバー要素１０に対して、縫合又は接着又は熱融着によって、例えば縫合によって、固着される。
【０１１７】
第１のカバー要素１０の上縁１１を第２のカバー要素２０の上縁２１に対して固着し、第１のカバー要素１０の下縁１３を第２のカバー要素２０の下縁２３に対して固着する。第１のカバー要素１０の左縁１２と第２のカバー要素２０の左縁２２とは固着しない。それにより、カバー１の左側において、開口部５を形成する。また、第１のカバー要素１０の右縁１４を第２のカバー要素２０の右縁２４に対して固着する。
【０１１８】
第１のカバー要素１０と第２のカバー要素２０とが同じサイズであって、平坦なシート状の生地同士の固着であるので、上縁１１，２１、下縁１３，２３、右縁１４，２４の固着作業は、いずれも、上述した第１実施形態乃至第４実施形態のように第２のカバー要素２０を引き伸ばした状態で行う必要がない。したがって、第１のカバー要素１０と第２のカバー要素２０との固着作業が容易になる。また、枕や座布団やクッションのような被収納物３をカバーの中に挿入しない未使用状態にあるカバー１は、平坦なシート状の生地同士の固着であるので、開口部５において湾曲した盛り上がりが形成されないために、未使用状態にあるカバー１の美観が優れている、カバー１を図示しない包装容器に収納したり包装したりすることが容易になること等の特長を有する。
【０１１９】
左側の重ね合わせ部分３７と残りの非重ね合わせ部分３９とが一体的に固着された第２のカバー要素２０は、全体的に弾性的に伸縮自在であるとともに、第２のカバー要素２０の全体を同じ長さで引き伸ばしたとき、左側の重ね合わせ部分３７では、残りの非重ね合わせ部分３９との比較で、より大きな収縮弾性力（伸縮弾性力）が働く。したがって、左側の重ね合わせ部分３７が開口形成部分２７を構成し、残りの非重ね合わせ部分３９が開口非形成部分２８を構成する。
【０１２０】
第６実施形態において、第２のカバー要素２０の横方向全体長さをＦとすると、開口非形成部分２８である残りの非重ね合わせ部分３９の横方向長さＦ２は、例えば、横方向全体長さＦの９５％乃至５０％である。そして、左側の重ね合わせ部分３７の横方向長さＦ１が、横方向全体長さＦの５％乃至５０％となる。
【０１２１】
左側に設けた重ね合わせ部分３７は、残りの非重ね合わせ部分３９と同じ素材のものを二枚重ねて用いることができる。あるいは、左側に設けた重ね合わせ部分３７は、残りの非重ね合わせ部分３９の素材のものと、残りの非重ね合わせ部分３９の素材との比較で収縮弾性力（伸縮弾性力）の異なる素材のもの（すなわち、残りの非重ね合わせ部分３９の素材よりも伸縮弾性力の小さい素材や伸縮弾性力の大きい素材）とを重ねて用いることができる。同じ素材又は異なった素材を重ね合わせることにより、使用可能な素材の選択肢が広がる。また、左側に設けた重ね合わせ部分３７としては、残りの非重ね合わせ部分３９の素材よりも収縮弾性力（伸縮弾性力）の小さい素材を三枚以上を重ねて用いることができる。なお、左側に設けた重ね合わせ部分３７は、第２のカバー要素２０の右側、上側、あるいは下側のいずれか１つに設けることもできる。
【０１２２】
このように、カバー１の左側に形成された開口形成部分２７での収縮弾性力（伸縮弾性力）が、開口非形成部分２８での収縮弾性力（伸縮弾性力）よりも相対的に大きくなるために、カバー１は被収容物３を開口形成部分２７によって強く締め付けることができる。これにより、被収容物３が開口部５から出にくくなるので、カバー１は、様々なサイズや形状の被収容物３を密着保持して、被収容物３に対する位置ずれを起こりにくくできるという効果を奏する。
【０１２３】
なお、上記実施形態では、被収容物３としての枕を袋状に覆うカバー１について説明したが、本発明のカバー１は、座布団やクッションにも適用することができる。この場合、カバー１は、座布団カバー又はクッションカバーになる。また、第１のカバー要素１０において、蓄熱部材が第１のカバー要素１０の表面に形成された複数の収容ポケットに装着可能であるように構成されていてもよい。開口形成部分２７は、横方向の全長又は縦方向の全長に対して、例示的に５％乃至５０％と規定したが、２％乃至６０％であってもよい。
【符号の説明】
【０１２４】
１：保冷・保温機能付きカバー
３：被収納物
４：収容空間
５：開口部
１０：第１のカバー要素
１１：上縁
１２：左縁
１３：下縁
１４：右縁
２０：第２のカバー要素
２１：上縁
２２：左縁
２３：下縁
２４：右縁
２７：開口形成部分
２８：開口非形成部分
３１：第１の素材
３２：固着部
３３：第２の素材
３４：固着部
３５：第３の素材
３７：重ね合わせ部
３８：固着部
３９：非重ね合わせ部
【図１】
2013233250.tif 000003
【図２】
2013233250.tif 000004
【図３】
2013233250.tif 000005
【図４】
2013233250.tif 000006
【図５】
2013233250.tif 000007
【図６】
2013233250.tif 000008
【図７】
2013233250.tif 000009